(57)【特許請求の範囲】
【請求項１】
Ｒ，Ｇ，Ｂの各色成分に対応した３ライン型固体撮像素子を備え、各色成分信号のライン単位での位置ずれをライン遅延処理によって補正するとともに、走査速度の増減に伴って生じる１ライン分未満の位置ずれを２点間補間処理によって補正する原稿読取装置において、
前記３ライン型固体撮像素子からの各色成分信号の出力系のそれぞれに設けられた２点間補間処理を施すための補間処理回路と、
Ｇ色成分信号の出力系における補間処理回路に２点間補間処理を行わせるか否かを決定する制御回路とを備え、
前記制御回路は、白黒モード対応時には前記Ｇ色成分信号の出力系における補間処理回路に２点間補間処理を行わせず、Ｒ色成分信号の出力系における補間処理回路およびＢ色成分信号の出力系における補間処理回路での前記Ｇ色成分信号を基準としたＲ色およびＢ色の２点間補間処理により各色成分信号の間の位置ずれ補正をする
ことを特徴とする原稿読取装置。
【請求項２】
ライン遅延処理および２点間補間処理によって位置ずれが補正された後の各色成分信号を当該各色成分信号とは異なる色空間の信号に変換する色変換手段を備える
ことを特徴とする請求項１に記載の原稿読取装置。
【請求項３】
前記３ライン型固体撮像素子における３ラインの中央にＧ色成分対応の固体撮像素子が、前記Ｇ色成分対応の固体撮像素子よりも先行して読み取りを行う位置に第１色成分対応の固体撮像素子が、前記Ｇ色成分対応の固体撮像素子よりも後に読み取りを行う位置に第２色成分対応の固体撮像素子がそれぞれ配置されている場合に、前記第１色成分対応の固体撮像素子による前ライン分のデータをＤ１ａ、現データをＤ１ｂとし、前記第２色成分対応の固体撮像素子による前ライン分のデータをＤ２ａ、現データをＤ２ｂとし、それぞれの色成分の補間比率をＲとすると、２点間補間処理を行うのにあたって、第１色成分の２点間補間処理後のデータＤ１ｘをＤ１ｘ＝Ｒ×Ｄ１ａ＋（１−Ｒ）×Ｄ１ｂとして算出し、第２色成分の２点間補間処理後のデータＤ２ｘをＤ２ｘ＝（１−Ｒ）×Ｄ２ａ＋Ｒ×Ｄ２ｂとして算出する
ことを特徴とする請求項１〜２のいずれか１項に記載の原稿読取装置。
【発明の詳細な説明】
【０００１】
【発明の属する技術分野】
本発明は、読み取り対象となる原稿からその原稿上に描かれた画像を光学的に読み取る原稿読取装置に関する。
【０００２】
【従来の技術】
一般に、原稿読取装置としては、複写機やスキャナ装置等に用いられるもののように、ＣＣＤ（Charge Coupled Device）ラインセンサ等の固体撮像素子を用いて、読み取り対象となる原稿を走査することにより、その原稿からの画像読み取りを行うものが広く知られている。また、近年では、例えば図６に示すように、Ｒ（赤），Ｇ（緑），Ｂ（青）の各色成分に対応した３本のラインセンサが所定間隔（例えば副走査方向ｎライン分の間隔、ｎは自然数）で並設された３ライン型固体撮像素子により、カラー画像の読み取りにも対応した原稿読取装置も広く用いられている。
【０００３】
ところで、３ライン型固体撮像素子では、各ラインセンサの間に所定間隔（ギャップ）が存在するため、そのギャップに応じた位置ずれが各色成分信号の間に生じてしまう。そのため、カラー画像対応の原稿読取装置においては、各色成分信号の間の位置ずれ補正（ギャップ補正）を行うことが必須となる。
【０００４】
各色成分信号の間のギャップ補正は、各ラインセンサ間が副走査方向ｎライン分の間隔であるため、ライン遅延処理によって行うことが考えられる。ライン遅延処理とは、例えばＦＩＦＯ（First In/First Out）メモリを用いて、各色成分信号の出力タイミングを、ライン単位で遅延させる処理をいう。
【０００５】
ところが、原稿読取装置の中には、例えば特許第２８１７９０９号公報に開示されているように、原稿画像の拡大読み取りまたは縮小読み取りを行うのにあたって、その読み取り倍率に応じて、副走査方向の原稿走査速度を増減させるものがある。この種の原稿読取装置では、走査速度の増減に伴って各ラインセンサの見かけ上のギャップがライン単位ではなくなるため、ライン遅延処理のみならず、２点間補間処理をも行うことによって、ギャップ補正に対応している。２点間補間処理とは、副走査方向のあるラインでの色成分信号とその前のラインでの色成分信号とを基に所定の演算を行い、その演算結果を各ラインの間における色成分信号と擬制することで、走査速度の増減に伴って生じる１ライン分未満のギャップ補正をする処理をいう。
【０００６】
ここで、このようなライン遅延処理と２点間補間処理とによるギャップ補正について詳しく説明する。例えば、原稿画像の副走査方向の先行側から順にＲ，Ｇ，Ｂの各色成分に対応したラインセンサが配置されており、各ラインセンサの間にそれぞれ４ライン分のギャップが存在しており、原稿画像拡縮の倍率指定が７０％である場合について考える。このとき、見かけ上のＲＧ間、ＧＢ間のギャップは、それぞれ４×０．７＝２．８ライン分となる。
【０００７】
この場合に、従来における原稿読取装置では、Ｂ色成分に対応したラインセンサ×が副走査方向の最後端側に位置しているため、他の色成分信号をＢ色成分信号に合わせるように遅延させることで、それぞれの間のギャップ補正を行う。例えば、Ｇ色成分信号については、ＧＢ間の２．８ライン分のギャップのうち、２ライン分をライン遅延処理によって補正し、また０．８ライン分を２点間補間処理によって補正する。
【０００８】
さらに具体的には、図７に示すように、先ず、Ｇ色成分信号をライン遅延処理によって２ライン分遅延させる。これにより、遅延後のＧ色成分信号Ｇ１とＢ色成分信号Ｂ１との間のギャップは、０．８ライン分となる。そして、遅延後のＧ色成分信号Ｇ１と、その前のラインにおけるＧ色成分信号Ｇ０とを基に、２点間補間処理によって０．８ライン分のギャップ補正を行う。すなわち、Ｇ色成分信号Ｇ１、Ｇ色成分信号Ｇ０とＢ色成分信号Ｂ１との間の距離比（０．８ライン、０．２ライン）に基づいて、Ｂ色成分信号Ｂ１の位置にあるであろうＧ色成分信号を算出する。これにより、Ｇ色成分信号とＢ色成分信号との間のギャップ補正が完了することになる。なお、Ｒ色成分信号とＢ色成分信号との間のギャップ補正についても、全く同様にして行われる。
【０００９】
【発明が解決しようとする課題】
しかしながら、従来の原稿読取装置では、副走査方向の最後端側に位置するラインセンサによる色成分信号を基準に２点間補間処理を行っているので、その２点間補間処理をＧ色成分信号に適用しなければならず、そのために不必要な画質劣化を招くおそれがあるといった問題がある。これは、画像の明るさを表す明度（輝度）信号を生成する際にＧ色成分信号が主成分として用いられるため、Ｇ色成分信号が各色成分信号の中で信号レベルとして最も重要視されており、そのＧ色成分信号が２点間補間処理における近似によって減衰してしまうと、結果として画質劣化に大きな影響を与えてしまうことになるからである。
【００１０】
これに対しては、例えばＧ色成分に対応したラインセンサを副走査方向の最後端側に配置することも考えられる。ところが、３ライン型固体撮像素子においては、その３ラインの中央におけるラインセンサが最も走査時の振動等の影響を受けない。つまり、Ｇ色成分に対応したラインセンサを副走査方向の最後端側に配置すると、Ｇ色成分信号が走査時の振動等の影響を受け易くなってしまい、結果として上述した場合と同様に画質劣化に大きな影響を与えてしまうことになる。
【００１１】
そこで、本発明は、原稿画像の読み取り倍率に応じた副走査方向の走査速度増減に対応するために、２点間補間処理により各色成分信号に対するギャップ補正を行う場合であっても、画質劣化への影響を極力抑えることのできる原稿読取装置を提供することを目的とする。
【００１４】
本発明は、Ｒ，Ｇ，Ｂの各色成分に対応した３ライン型固体撮像素子を備え、各色成分信号のライン単位での位置ずれをライン遅延処理によって補正するとともに、走査速度の増減に伴って生じる１ライン分未満の位置ずれを２点間補間処理によって補正する原稿読取装置において、前記３ライン型固体撮像素子からの各色成分信号の出力系のそれぞれに設けられた２点間補間処理を施すための補間処理回路と、Ｇ色成分信号の出力系における補間処理回路に２点間補間処理を行わせるか否かを決定する制御回路とを備え、前記制御回路は、白黒モード対応時には前記Ｇ色成分信号の出力系における補間処理回路に２点間補間処理を行わせず、Ｒ色成分信号の出力系における補間処理回路およびＢ色成分信号の出力系における補間処理回路での前記Ｇ色成分信号を基準としたＲ色およびＢ色の２点間補間処理により各色成分信号の間の位置ずれ補正をすることを特徴とするものである。
【００１５】
上記構成の原稿読取装置によれば、制御回路が白黒モード対応時にはＧ色成分信号の２点間補間を行なわず、Ｇ色成分信号を基準としＲ色、Ｂ色の２点間補正処理により位置ずれ補正をすることを決定するので、Ｒ色成分信号の出力系における補間処理回路およびＢ色成分信号の出力系における補間処理回路が、Ｇ色成分信号を基準にして２点間補間処理を行い、各色成分信号の間の位置ずれ（ギャップ）を補正することになる。したがって、２点間補間処理を行っても、Ｇ色成分信号については、その処理における近似によって減衰してしまうことがない。
【００１６】
【発明の実施の形態】
以下、図面に基づき本発明に係る原稿読取装置について説明する。図１は本発明に係る原稿読取装置の機能構成の一例を示すブロック図であり、図２はその原稿読取装置における走査光学系の概略構成の一例を示す側断面図である。
【００１７】
先ず、原稿読取装置における走査光学系について説明する。ここで説明する原稿読取装置は、シート状の原稿から、その原稿上に描かれている画像を光学的に読み取るためのものである。そのために、原稿読取装置は、図２に示すように、原稿台ガラス１１上に載置された原稿の読み取り面を走査（スキャン）するフルレートキャリッジ１２と、フルレートキャリッジ１２の半分の速度で走査するハーフレートキャリッジ１３と、原稿台ガラス１１上の原稿を照射するためにフルレートキャリッジ１２に搭載された光源１４と、原稿からの反射光の光軸方向を変換するためにフルレートキャリッジ１２およびハーフレートキャリッジ１３に搭載されたミラー１５と、ミラー１５を介して得られた反射光を集光させるレンズ１６と、集光した反射光を受ける３ライン型固体撮像素子１７と、モータドライブ制御基板１８と、ビデオ信号処理基板２０と、を備えている。
【００１８】
このような構成の原稿読取装置１０では、原稿台ガラス１１上に原稿が載置されると、フルレートキャリッジ１２およびハーフレートキャリッジ１３が、その原稿台ガラス１１上の原稿を走査する。この走査の結果、３ライン型固体撮像素子１７は、フルレートキャリッジ１２およびハーフレートキャリッジ１３に搭載されたミラー１５を介して原稿からの反射光を受光し、その原稿上に描かれた画像の読み取りを行うことになる。
【００１９】
このとき、フルレートキャリッジ１２およびハーフレートキャリッジ１３は、図示しないキャリッジ駆動モータにより駆動される。ただし、その駆動スピード、すなわち原稿台ガラス１１上の原稿に対する走査速度は、モータドライブ制御基板１８での制御によって、原稿画像の読み取り倍率に応じて増減するようになっている。
【００２０】
また、３ライン型固体撮像素子１７は、光電変換処理によって原稿からの画像読み取りを行うが、カラー画像の読み取りにも対応すべく、Ｒ，Ｇ，Ｂの各色の分光感度特性に対応した３ライン構成のものとなっている。なお、３ライン型固体撮像素子１７では、Ｇ色成分に対応したラインセンサが３ラインの中央に配置されており、Ｇ色成分信号が走査時の振動等の影響を受けてしまうのを極力回避している。また、３本のラインセンサの間には、それぞれ例えば４ライン分のギャップが存在しているものとする（図６参照）。
【００２１】
このような３ライン型固体撮像素子１７にて得られるＲ，Ｇ，Ｂの各色成分信号は、ビデオ信号処理基板２０によって処理される。
【００２２】
ビデオ信号処理基板２０は、Ｒ，Ｇ，Ｂの各色成分信号に対する処理を行うもので、図１に示すように、各色成分毎に設けられたＡ／Ｄ変換器２１および光量分布補正回路２２と、ギャップ補正部２３と、色変換処理部２４と、副走査拡大縮小部２５と、固体撮像素子駆動回路部２６と、ユーザーインターフェース制御部２７と、モータドライブ制御部２８と、ＣＰＵ（Central Processing Unit）２９と、を備えている。
【００２３】
このうち、Ａ／Ｄ変換器２１は、各色成分信号に対してＡ／Ｄ変換を行うものである。また、光量分布補正回路２２は、Ａ／Ｄ変換後のデジタル信号に対して光量分布補正（例えばシェーディング補正）を行うものである。なお、Ａ／Ｄ変換器２１は、ビデオ信号処理基板２０外に設けられていてもよい。
【００２４】
ギャップ補正部２３は、光量分布補正後の各色成分に対応したデジタル信号を基に、詳細を後述するようにして、３ライン型固体撮像素子１７が有する３本のラインセンサの間のギャップを補正するものである。
【００２５】
色変換処理部２４は、ギャップ補正部２３によってギャップが補正された後のＲ，Ｇ，Ｂの各色成分信号を、これとは異なる色空間の信号に変換するものである。異なる色空間の信号としては、例えばＬａｂ信号、Ｌｕｖ信号、ＸＹＺ信号、ｓ−ＲＧＢ信号等が挙げられる。このような色空間の変換のために、色変換処理部２４では、ルックアップテーブル（ＬＵＴ）や行列演算等によりカラー原稿検知機能（ＡＣＳ）および下地検知機能（ＡＥ）を実現するＡＣＳ／ＡＥ判定部２４ａと、ＡＣＳ／ＡＥ判定部２４ａでの検知判定結果に応じてＲ，Ｇ，Ｂの各色成分毎に明度を変換する明度変換部２４ｂと、明度変換後の各色成分信号を所定の色空間信号に変換する色変換部２４ｃとを有している。
【００２６】
副走査拡大縮小部２５は、原稿画像の読み取り倍率に応じて増減する走査速度に対応するために、色変換処理部２４による変換後の所定の色空間信号に対し、必要に応じて副走査方向の拡大処理または縮小処理を行い、その処理後の信号を図示しない後段の処理回路部へ送出するものである。そのために、副走査拡大縮小部２５では、変換後の色空間信号における各色成分毎に設けられた拡大縮小回路２５ａを有している。
【００２７】
固体撮像素子駆動回路部２６は、３ライン型固体撮像素子１７の駆動およびその制御を行うものである。ユーザーインターフェース制御部２７は操作パネル等のユーザーインターフェースを制御するものであり、モータドライブ制御部２８はキャリッジ駆動モータの駆動、すなわちモータドライブ制御基板１８を制御するものである。また、ＣＰＵ２９は、所定プログラムを実行することによって、上述した各部、すなわち原稿読取装置全体の動作制御を行うものである。
【００２８】
ところで、以上のように構成された本実施形態における原稿読取装置１０は、ギャップ補正部２３に大きな特徴がある。
【００２９】
ギャップ補正部２３では、３ライン型固体撮像素子１７が有する３本のラインセンサの間のギャップを補正するのにあたって、従来と略同様に、副走査方向のライン単位でのギャップ補正に関してはライン遅延処理によって行い、走査速度の増減に伴って生じる１ライン分未満のギャップ補正に関しては２点間補間処理によって行う。
【００３０】
そのため、ギャップ補正部２３では、Ｒ，Ｇ，Ｂの各色成分信号に対するライン遅延処理を適宜施すためのＦＩＦＯメモリ２３ａを有している。ただし、２点間補間処理を施すための副走査２点間補間回路２３Ｒ，２３Ｂは、３ライン型固体撮像素子１７からのＲ色成分信号の出力系およびＢ色成分信号の出力系のみに設けられており、Ｇ色成分信号の出力系には設けられていない。
【００３１】
つまり、本実施形態におけるギャップ補正部２３では、Ｒ色成分信号の出力系およびＢ色成分信号の出力系のみに副走査２点間補間回路２３Ｒ，２３Ｂが設けられているので、これら副走査２点間補間回路２３Ｒ，２３ＢがＧ色成分信号を基準にして２点間補間処理を行い、これにより各色成分信号の間のギャップを補正することになる。
【００３２】
ここで、このようなギャップ補正部２３によるギャップ補正について、さらに詳しく説明する。図３は、本発明に係る原稿読取装置におけるギャップ補正の概要を示す説明図である。
【００３３】
例えば、３ライン型固体撮像素子１７において原稿画像の副走査方向の先行側から順にＲ，Ｇ，Ｂの各色成分に対応したラインセンサが配置されており、各ラインセンサの間にそれぞれ４ライン分のギャップが存在しており、原稿画像拡縮の倍率指定が７０％である場合について考える。このとき、見かけ上のＲＧ間、ＧＢ間のギャップは、それぞれ４×０．７＝２．８ライン分となる。
【００３４】
この場合に、ギャップ補正部２３では、上述したようにＧ色成分信号を基準にして２点間補間処理を行う。ただし、そのためには、図３に示すように、例えばＧＢ間のギャップについてであれば、見かけ上Ｂ色成分信号Ｂ１がＧ色成分信号の位置を追い越さなければならない。２点間補間処理は、その前のラインにおけるＧ色成分信号Ｂ０との間で行うしかないからである。
【００３５】
そこで、ギャップ補正部２３では、ＧＢ間のギャップ補正を行う際には、先ず、Ｂ色成分信号をＦＩＦＯメモリ２３ａでのライン遅延処理によって３ライン分遅延させる。これにより、遅延後のＢ色成分信号Ｂ１とＧ色成分信号Ｇ１との間のギャップは、０．２ライン分となる。そして、遅延後のＢ色成分信号Ｂ１と、その前のラインにおけるＢ色成分信号Ｂ０とを基に、副走査２点間補間回路２３Ｂでの２点間補間処理によって０．２ライン分のギャップ補正を行う。すなわち、Ｂ色成分信号Ｂ１、Ｂ色成分信号Ｂ０とＧ色成分信号Ｇ１との間の距離比（０．２ライン、０．８ライン）に基づいて、Ｇ色成分信号Ｇ１の位置にあるであろうＢ色成分信号を算出する。
【００３６】
この算出についてさらに詳しく説明する。図４は、本発明に係る原稿読取装置におけるギャップ補正の一具体例を示す説明図である。ＧＢ間のギャップ補正を行う場合に、副走査２点間補間回路２３Ｂでは、３ライン型固体撮像素子１７のＧ色成分対応のラインセンサよりも後に読み取りを行う位置にＢ色成分対応のラインセンサが配置されているので、Ｂ色成分対応のラインセンサによる前ライン分のデータをＤ２ａ、現データをＤ２ｂとすると、２点間補間処理を行うのにあたって、目標位置の信号データ（２点間補間処理後のデータ）Ｄ２ｘを、以下の（１）式を用いて算出する。
【００３７】
Ｄ２ｘ＝（１−Ｒ）×Ｄ２ａ＋Ｒ×Ｄ２ｂ・・・（１）
【００３８】
このとき、Ｒは、それぞれの色成分の補間比率、すなわちＢ色成分の小数点以下（例えば、０．２）の補正量であり、１００％読み取り時のＧＢ間のラインギャップ数をＧａｐ＿ＧＢ、読み取り時の指定倍率をＹとすると、以下の（２）式によって求めることができる。
【００３９】
Ｒ＝Ｇａｐ＿ＧＢ×Ｙ／１００−ｎ・・・（２）
【００４０】
また、ＲＧ間のギャップ補正については、副走査２点間補間回路２３Ｒが以下のようにして行う。すなわち、副走査２点間補間回路２３Ｒでは、３ライン型固体撮像素子１７のＧ色成分対応のラインセンサよりも先行して読み取りを行う位置にＲ色成分対応のラインセンサが配置されているので、Ｒ色成分対応のラインセンサによる前ライン分のデータをＤ１ａ、現データをＤ１ｂとすると、２点間補間処理を行うのにあたって、目標位置の信号データ（２点間補間処理後のデータ）Ｄ１ｘを、以下の（３）式を用いて算出する。
【００４１】
Ｄ１ｘ＝Ｒ×Ｄ１ａ＋（１−Ｒ）×Ｄ１ｂ・・・（３）
【００４２】
なお、Ｒについては、ＧＢ間の場合と同様である。
【００４３】
このようにして、ギャップ補正部２３では、副走査２点間補間回路２３Ｒ，２３ＢがそれぞれＧ色成分信号を基準にした２点間補間処理を行い、これによりＧＢ間およびＲＢ間のギャップ補正が完了することになる。
【００４４】
次に、本発明に係る原稿読取装置の他の実施形態について説明する。図５は本発明に係る原稿読取装置の機能構成の他の例を示すブロック図である。ここで説明する原稿読取装置は、上述した実施形態の場合と、ビデオ信号処理基板２０′におけるギャップ補正部２３′の構成およびＣＰＵ２９′による制御機能が異なる。
【００４５】
上述したギャップ補正部２３ではＲ色成分信号の出力系およびＢ色成分信号の出力系のみに副走査２点間補間回路２３Ｒ，２３Ｂが設けられていたが、ここで説明するギャップ補正部２３′は、Ｒ，Ｇ，Ｂの各色成分信号の出力系のそれぞれに、２点間補間処理を施すための副走査２点間補間回路２３Ｒ，２３Ｇ，２３Ｂが設けられている。また、これに対応して、ＣＰＵ２９′は、Ｇ色成分信号の出力系における副走査２点間補間回路２３Ｇに、２点間補間処理を行わせるか否かを決定する機能を有している。
【００４６】
このように構成された原稿読取装置において、３ライン型固体撮像素子１７が有する３本のラインセンサの間のギャップを補正する場合には、先ず、ＣＰＵ２９′が副走査２点間補間回路２３Ｇに２点間補間処理を行わせるか否かを決定する。そして、２点間補間処理を行わせると決定した場合には、従来と略同様にしてギャップ補正部２３′がギャップ補正を行う。
【００４７】
ただし、副走査２点間補間回路２３Ｇに２点間補間処理を行わせないと決定した場合、ＣＰＵ２９′は、その副走査２点間補間回路２３Ｇを作用させないように、ギャップ補正部２３′に対して指示を与える。
【００４８】
ＣＰＵ２９′が副走査２点間補間回路２３Ｇに２点間補間処理を行わせないと決定する場合としては、例えば白黒モード対応時、すなわちユーザーインターフェース制御部２７から白黒画像の読み取りに対応する旨の通知があった場合が挙げられる。また、原稿画像の拡縮、すなわち副走査方向の原稿走査速度の増減が指示された場合に、副走査２点間補間回路２３Ｇに２点間補間処理を行わせないようにすることも考えられる。
【００４９】
そして、ＣＰＵ２９′が副走査２点間補間回路２３Ｇに２点間補間処理を行わせないと決定すると、ギャップ補正部２３′では、上述した実施形態の場合と略同様に、副走査２点間補間回路２３Ｒ，２３Ｂのみを用いて、Ｇ色成分信号を基準にした２点間補間処理を行い、これによりＧＢ間およびＲＢ間のギャップ補正が完了することになる。
【００５０】
以上のように、上述したいずれの実施形態においても、ギャップ補正部２３，２３′では、Ｒ色成分信号の出力系およびＢ色成分信号の出力系におけるそれぞれの副走査２点間補間回路２３Ｒ，２３Ｂが、Ｇ色成分信号を基準にして２点間補間処理を行い、各色成分信号の間のギャップ補正を行い得るようになっている。したがって、２点間補間処理を行っても、信号レベルとして最も重要視されるＧ色成分信号、すなわち劣化が視覚的に捉えやすいＧ色成分信号については、その処理における近似によって減衰してしまうことがないので、画質劣化への影響を極力抑えることができるようになる。
【００５１】
その上、３ライン型固体撮像素子１７におけるＧ色成分対応のラインセンサは、３ラインの中央に配置したままでよいので、Ｇ色成分信号が走査時の振動等の影響を受け難くなり、より一層画質劣化への影響を抑制する上で好適なものとなる。
【００５２】
つまり、上述した各実施形態における原稿読取装置によれば、原稿画像の読み取り倍率に応じた副走査方向の走査速度増減に対応すべく、２点間補間処理により各色成分信号に対するギャップ補正を行う場合であっても、Ｇ色成分信号を基準にした２点間補間処理を行うことで、画質劣化への影響を極力抑えることができる。このとき、厳密にいうと、Ｇ色成分信号を基準にすることで、従来のように３ラインの最後端の色成分信号（例えばＢ色成分信号）を基準にする場合との位置ずれが生じてしまうが、その位置ずれは画像全体に対してのものであり、しかもそのずれ量は１ライン分以下であるので、視覚的には殆ど影響を及ぼさない。
【００５３】
また、特に白黒モード対応時には、３ライン型固体撮像素子１７にて取得した各色成分信号から色に関する情報（色相や彩度等）を除去し、明度（輝度）に関する情報のみを基にすることになるので、明度信号を生成する際に主成分として用いられるＧ色成分信号が減衰してしまうと、画質劣化への影響が非常に大きなものとなってしまう。したがって、白黒モード対応時には副走査２点間補間回路２３Ｒ，２３Ｂのみを用いてＧ色成分信号を基準にした２点間補間処理を行うようにすれば、そのＧ色成分信号を基準にした２点間補間処理により得られる利点がより顕著に現れるようになる。
【００５４】
なお、上述した各実施形態では、ギャップ補正部２３，２３′によるギャップ補正の後に、色変換処理部２４がＲ，Ｇ，Ｂの各色成分信号をこれとは異なる色空間の信号に変換する場合を例に挙げて説明したが、本発明はこれに限定されるものではなく、色変換処理部２４を備えていない原稿読取装置についても適用可能であることは勿論である。ただし、例えば色変換処理部２４がＬａｂ信号への変換を行うものであると、明度信号を生成する際に主成分として用いられるＧ色成分信号がその変換結果に大きな影響を与える。したがって、本発明は、上述した各実施形態における場合のように、各色成分信号の色空間を変換する手段である色変換処理部２４を備えた原稿読取装置に適用して特に好適なものであるといえる。
【００５５】
【発明の効果】
以上に説明したように、本発明に係る原稿読取装置は、Ｒ色成分信号の出力系およびＢ色成分信号の出力系におけるそれぞれの補間処理回路がＧ色成分信号を基準にして２点間補間処理を行い、各色成分信号の間のギャップ補正を行うようになっている。したがって、原稿画像の読み取り倍率に応じた副走査方向の走査速度増減に対応すべく、２点間補間処理により各色成分信号に対するギャップ補正を行う場合であっても、信号レベルとして最も重要視されるＧ色成分信号の減衰してしまうことがないので、画質劣化への影響を極力抑えることができる。
【図面の簡単な説明】
【図１】  本発明に係る原稿読取装置の機能構成の一例を示すブロック図である。
【図２】  本発明に係る原稿読取装置における走査光学系の概略構成の一例を示す側断面図である。
【図３】  本発明に係る原稿読取装置におけるギャップ補正の概要を示す説明図である。
【図４】  本発明に係る原稿読取装置におけるＧＢ間のギャップ補正の一具体例を示す説明図であり、（ａ）はＧＢ間のギャップ補正を示す図、（ｂ）はＲＢ間のギャップ補正を示す図である。
【図５】  本発明に係る原稿読取装置の機能構成の他の例を示すブロック図である。
【図６】  一般的な３ライン型固体撮像素子の構成例を示す説明図である。
【図７】  従来の原稿読取装置におけるギャップ補正の概要を示す説明図である。
【符号の説明】
１０…原稿読取装置、１７…３ライン型固体撮像素子、２０，２０′…ビデオ信号処理基板、２３，２３′…ギャップ補正部、２３ａ…ＦＩＦＯメモリ、２３Ｒ，２３Ｇ，２３Ｂ…副走査２点補間回路、２４…色変換処理部、２９，２９′…ＣＰＵ
【図１】
0004042335.tif 000002
【図２】
0004042335.tif 000003
【図３】
0004042335.tif 000004
【図４】
0004042335.tif 000005
【図５】
0004042335.tif 000006
【図６】
0004042335.tif 000007
【図７】
0004042335.tif 000008